(57)【要約】【課題】携帯端末から無線ネットワークへ容易に接続することができる通信システムを提供する。【解決手段】通信システムは、インターネットサーバと、１以上の携帯端末と、１以上の情報提供サーバとを含む。インターネットサーバは、サーバ位置情報と接続情報との対応を示すサーバリストを格納する。また、携帯端末の現在位置を示す現在位置情報が当該携帯端末から送信されてきたことに応じて、当該現在位置情報に対応する接続情報を当該携帯端末へ送信する。また、携帯端末は、自機の現在位置を示す現在位置情報を取得する。そして、インターネットを介して当該現在位置情報をインターネットサーバへ送信する。さらに、インターネットサーバから送信されてきた接続情報を用いて、当該接続情報によって接続可能な無線ネットワークとの接続を確立する。【選択図】        図１
2004310222.tif 000002
【特許請求の範囲】
【請求項１】
インターネットサーバと、当該インターネットサーバとインターネットを介して通信可能な１以上の携帯端末と、異なる無線ネットワークにそれぞれ接続される１以上の情報提供サーバとを含む通信システムであって、
前記インターネットサーバは、
前記情報提供サーバの位置に関するサーバ位置情報と、当該情報提供サーバが接続される無線ネットワークに接続するための接続情報との対応を示すサーバリストを格納するサーバリスト格納部と、
前記携帯端末の現在位置を示す現在位置情報が当該携帯端末から送信されてきたことに応じて、当該現在位置情報に対応する接続情報を、前記サーバリストを参照することによって前記サーバリスト格納部から取得し、当該携帯端末へ送信する接続情報送信部とを備え、
各前記携帯端末は、
自機の現在位置を示す現在位置情報を取得する現在位置取得部と、
インターネットを介して当該現在位置情報を前記インターネットサーバへ送信する現在位置送信部と、
前記インターネットサーバから送信されてきた接続情報を用いて、当該接続情報によって接続可能な無線ネットワークとの接続を確立する接続処理部とを備える、通信システム。
【請求項２】
前記インターネットサーバと各前記情報提供サーバとの間は、インターネットを介して通信可能であり、
前記現在位置送信部は、現在位置情報とともに、自機を識別するための端末識別情報を前記インターネットサーバへ送信し、
前記インターネットサーバは、前記携帯端末から現在位置情報および端末識別情報が送信されてきたことに応じて前記接続情報送信部が接続情報を送信する場合、当該接続情報を用いることによって接続可能な無線ネットワークに接続される情報提供サーバである対象情報提供サーバへ、インターネットを介して当該端末識別情報を送信するサーバ送信部をさらに備え、
各前記情報提供サーバは、前記インターネットサーバから送信されてくる端末識別情報により示される携帯端末へ、当該携帯端末に提供するための提供情報を無線ネットワークを介して送信する情報提供送信部を備える、請求項１に記載の通信システム。
【請求項３】
前記携帯端末は、キーワードの入力を受け付けるキーワード受付部をさらに備え、
前記現在位置送信部は、前記キーワード受付部によって受け付けられたキーワードを現在位置情報とともに前記インターネットサーバへ送信し、
前記サーバリスト格納部は、キーワードと接続情報との対応をさらに含むサーバリストを格納し、
前記接続情報送信部は、前記携帯端末から送信されてきた現在位置情報に対応する接続情報であって、かつ、当該携帯端末から送信されてきたキーワードに対応する接続情報を、前記サーバリストを参照することによって前記サーバリスト格納部から取得するとともに、当該携帯端末へ送信し、
前記サーバ送信部は、前記携帯端末から現在位置情報、端末識別情報およびキーワードが送信されてきたことに応じて前記接続情報送信部が接続情報を送信する場合、当該キーワードを当該端末識別情報とともに前記対象情報提供サーバへインターネットを介して送信し、
各前記情報提供サーバは、キーワードと携帯端末へ提供すべき当該キーワードに関する提供情報とを対応付けた提供情報リストを格納する情報リスト格納部をさらに備え、
前記情報提供送信部は、前記インターネットサーバから送信されてきたキーワードに対応する提供情報を、前記提供情報リストを参照することによって前記情報リスト格納部から取得するとともに、無線ネットワークを介して送信する、請求項２に記載の通信システム。
【請求項４】
前記サーバリストは、情報提供サーバが接続される無線ネットワークに接続するための接続情報と、当該情報提供サーバに関連するキーワードとの対応をさらに含み、
各前記携帯端末は、キーワードの入力を受け付けるキーワード受付部をさらに備え、
前記現在位置送信部は、前記キーワード受付部によって受け付けられたキーワードを現在位置情報とともに前記インターネットサーバへ送信し、
前記接続情報送信部は、前記携帯端末から送信されてきた現在位置情報に対応する接続情報であって、かつ、当該現在位置情報とともに送信されてきたキーワードに対応する接続情報を、前記サーバリストを参照することによって前記サーバリスト格納部から取得し、当該携帯端末へ送信する、請求項１に記載の通信システム。
【請求項５】
放送局と、当該放送局から送信される放送データを受信可能な携帯端末と、異なる無線ネットワークにそれぞれ接続される１以上の情報提供サーバとを含む通信システムであって、
前記放送局は、情報提供サーバの位置に関するサーバ位置情報と、当該情報提供サーバが接続される無線ネットワークに接続するための接続情報との対応を示すサーバリストを、放送すべき放送データに含めて送信し、
前記携帯端末は、
自機の現在位置を示す現在位置情報を取得する現在位置取得部と、
前記放送局から送信される放送データを受信する放送受信部と、
前記現在位置取得部によって取得された現在位置情報に基づいて、前記放送受信部によって受信した放送データに含まれるサーバリストの中から、当該現在位置情報に対応する接続情報を決定する接続情報決定部と、
前記接続情報決定部によって決定された接続情報を用いて、当該接続情報によって接続可能な無線ネットワークとの接続を確立する接続処理部とを備える、通信システム。
【請求項６】
前記サーバリストは、情報提供サーバが接続される無線ネットワークに接続するための接続情報と、当該情報提供サーバに関連するキーワードとの対応をさらに含み、
各前記携帯端末は、キーワードの入力を受け付けるキーワード受付部をさらに備え、
前記接続情報決定部は、前記現在位置取得部によって取得された現在位置情報に対応する接続情報であって、かつ、前記キーワード受付部によって受け付けられたキーワードに対応する接続情報を、前記サーバリストの中から決定する、請求項５に記載の通信システム。
【請求項７】
インターネットサーバとインターネットを介して通信可能な携帯端末であって、
前記インターネットサーバは、携帯端末から現在位置情報を受信したことに応じて、当該現在位置情報により示される位置で通信が可能な無線ネットワークに接続するための接続情報を当該携帯端末へ送信するものであって、
自機の現在位置を示す現在位置情報を取得する現在位置取得部と、
インターネットを介して当該現在位置情報を前記インターネットサーバへ送信する現在位置送信部と、
前記インターネットサーバから送信されてきた接続情報を用いて、当該接続情報によって接続可能な無線ネットワークとの接続を確立する接続処理部とを備える、携帯端末。
【請求項８】
放送局から送信される放送データを受信可能な携帯端末であって、
前記放送局は、情報提供サーバの位置に関するサーバ位置情報と、当該情報提供サーバが接続される無線ネットワークに接続するための接続情報との対応を示すサーバリストを、放送すべき放送データに含めて送信するものであって、
自機の現在位置を示す現在位置情報を取得する現在位置取得部と、
前記放送局から送信される放送データを受信する放送受信部と、
前記現在位置取得部によって取得された現在位置情報に基づいて、前記放送受信部によって受信した放送データに含まれるサーバリストの中から、当該現在位置情報に対応する接続情報を決定する接続情報決定部と、
前記接続情報決定部によって決定された接続情報を用いて、当該接続情報によって接続可能な無線ネットワークとの接続を確立する接続処理部とを備える、携帯端末。
【発明の詳細な説明】
【０００１】
【発明の属する技術分野】
本発明は、通信システムに関し、より特定的には、携帯端末を無線ＬＡＮに接続し、通信を行う通信システムに関する。
【０００２】
【従来の技術】
近年、ネットワークを介してサーバから端末へ提供される各種情報サービスのが広まっており、このような情報提供サービスを、例えば携帯電話のような携帯型の端末（携帯端末）で利用する環境が整いつつある。このような環境下では、例えば、ユーザが携帯端末を用いることによって、周囲に存在する店舗や施設の情報をサーバから取得するような利用形態が考えられる。これによって、ユーザは、外出時において自己の周辺の各種情報を得ることができる。
【０００３】
また、ユーザが用いる携帯端末から情報源であるサーバへ接続形態の１つとして、無線ＬＡＮを介した通信を行う方法がある（例えば、特許文献１参照。）。無線ＬＡＮを介して通信を行えば、インターネットを介した通信に比べて高速に通信を行うことができるという利点がある。無線ＬＡＮを用いて上記のサービスを提供する形態としては、例えば以下の構成が考えられる。すなわち、商店街や商業施設の各店舗に端末をそれぞれ設置しておき、それらの端末によってネットワークを構成する。このとき、各店舗に関する情報を一括的に管理するサーバを設けておいてもよい。そして、アクセスポイント（ＡＰ）を設けることによって、携帯端末から無線で当該ネットワークにアクセスできるようにする。以上の構成によって、商店街や商業施設の周辺のユーザは、携帯端末を用いてネットワークにアクセスすることによって、商店街や商業施設に関する種々の情報を享受することが考えられる。
【０００４】
【特許文献１】
特開２００１−２６４０９０号公報
【０００５】
【発明が解決しようとする課題】
ここで、携帯端末が無線ＬＡＮに接続する際には、煩雑な設定作業を行わなければならない場合がある。すなわち、ユーザは、例えば、ＡＰを識別するための識別子や通信を行う際のチャンネル等の条件を、携帯端末に対して設定しなければならない。なお、上記のような構成においては、携帯端末は、現在位置に応じて種々のネットワークにアクセスする可能性がある（すなわち、携帯端末の位置に応じてアクセス可能なネットワークは変化する）。従って、携帯端末において特定の条件を記憶しておくことによって設定作業を自動化しても、複数のネットワークに対応して自動的に設定作業を行わせることは不可能であると考えられる。このような設定作業はユーザにとって面倒であり、「携帯端末によって種々の情報を得る」という利便性を大きく阻害するものである。
【０００６】
また、ユーザは、通常、商店街や施設に設けられたネットワークやＡＰの存在を知らない場合が多いと考えられ、このような場合には、ユーザは設定作業自体を行うことができない（設定作業を行わない）。つまり、商店街のネットワークが構築されていても、ユーザがそれを知らなければ、当該ネットワークがユーザに用いられることはない。さらに、ユーザは、上記設定作業を行うことによって携帯端末とＡＰとの通信を開始してみないことには、自分の現在位置からＡＰにアクセス可能であるか否かを知ることはできない。
【０００７】
それ故に、本発明の目的は、携帯端末から無線ネットワークへ容易に接続することができる通信システムを提供することである。
【０００８】
【課題を解決するための手段および発明の効果】
本発明は、上記の課題を解決するために、以下の構成を採用した。すなわち、第１の発明に係る通信システムは、インターネットサーバと、１以上の携帯端末と、１以上の情報提供サーバとを含む。さらに、インターネットサーバは、サーバリスト格納部と、接続情報送信部とを備える。サーバリスト格納部は、情報提供サーバの位置に関するサーバ位置情報と、当該情報提供サーバが接続される無線ネットワークに接続するための接続情報との対応を示すサーバリストを格納する。接続情報送信部は、携帯端末の現在位置を示す現在位置情報が当該携帯端末から送信されてきたことに応じて、当該現在位置情報に対応する接続情報を、サーバリストを参照することによってサーバリスト格納部から取得し、当該携帯端末へ送信する。また、各携帯端末は、当該インターネットサーバとインターネットを介して通信可能であり、現在位置取得部と、現在位置送信部と、接続処理部とを備える。現在位置取得部は、自機の現在位置を示す現在位置情報を取得する。現在位置送信部は、インターネットを介して当該現在位置情報をインターネットサーバへ送信する。接続処理部は、インターネットサーバから送信されてきた接続情報を用いて、当該接続情報によって接続可能な無線ネットワークとの接続を確立する。ここで、情報提供サーバは、異なる無線ネットワークにそれぞれ接続されている。
【０００９】
上記によれば、携帯端末は、自機の周辺に存在する情報提供サーバの無線ネットワークに接続するための接続情報をインターネットを介して得ることができる。従って、ユーザは、煩雑な設定作業を行うことなしに容易に情報提供サーバと通信を行うことができる。また、現在位置周辺に存在する情報提供サーバを検出することができる。
【００１０】
また、第１の発明において、インターネットサーバと各情報提供サーバとの間は、インターネットを介して通信可能であってもよい。このとき、現在位置送信部は、現在位置情報とともに、自機を識別するための端末識別情報をインターネットサーバへ送信する。また、インターネットサーバは、携帯端末から現在位置情報および端末識別情報が送信されてきたことに応じて接続情報送信部が接続情報を送信する場合、当該接続情報を用いることによって接続可能な無線ネットワークに接続される情報提供サーバである対象情報提供サーバへ、インターネットを介して当該端末識別情報を送信するサーバ送信部をさらに備える。各情報提供サーバは、インターネットサーバから送信されてくる端末識別情報により示される携帯端末へ、当該携帯端末に提供するための提供情報を無線ネットワークを介して送信する情報提供送信部を備える。
【００１１】
上記によれば、情報提供サーバは、インターネットサーバから送信される端末識別情報によって、無線ネットワークに接続しようとしている携帯端末を特定することができる。従って、携帯端末が無線ネットワークに接続されれば、携帯端末から情報提供サーバに対して何らかの要求を送信する必要がなく、情報提供サーバの方から携帯端末へ提供情報が送信される。
【００１２】
さらに、上記において、携帯端末は、キーワードの入力を受け付けるキーワード受付部をさらに備えてもよい。このとき、現在位置送信部は、キーワード受付部によって受け付けられたキーワードを現在位置情報とともにインターネットサーバへ送信する。サーバリスト格納部は、キーワードと接続情報との対応をさらに含むサーバリストを格納する。接続情報送信部は、携帯端末から送信されてきた現在位置情報に対応する接続情報であって、かつ、当該携帯端末から送信されてきたキーワードに対応する接続情報を、サーバリストを参照することによってサーバリスト格納部から取得するとともに、当該携帯端末へ送信する。サーバ送信部は、携帯端末から現在位置情報、端末識別情報およびキーワードが送信されてきたことに応じて接続情報送信部が接続情報を送信する場合、当該キーワードを当該端末識別情報とともに対象情報提供サーバへインターネットを介して送信する。各情報提供サーバは、キーワードと携帯端末へ提供すべき当該キーワードに関する提供情報とを対応付けた提供情報リストを格納する情報リスト格納部をさらに備える。情報提供送信部は、インターネットサーバから送信されてきたキーワードに対応する提供情報を、提供情報リストを参照することによって情報リスト格納部から取得するとともに、無線ネットワークを介して送信する。
【００１３】
上記によれば、ユーザが希望する情報に関連するキーワードを入力することによって、ユーザが希望する情報を提供する情報提供サーバの無線ネットワークに携帯端末が接続される。そして、ユーザが希望する情報についての提供情報が自動的に当該情報提供サーバから送信されることとなる。従って、現在位置の周辺に接続可能な複数の無線ネットワークが存在する場合であっても、ユーザにとって不要な提供情報は送信されず、ユーザが真に必要とする提供情報のみが送信されることとなる。
【００１４】
また、第１の発明において、サーバリストは、情報提供サーバが接続される無線ネットワークに接続するための接続情報と、当該情報提供サーバに関連するキーワードとの対応をさらに含んでもよい。このとき、各携帯端末は、キーワードの入力を受け付けるキーワード受付部をさらに備える。現在位置送信部は、キーワード受付部によって受け付けられたキーワードを現在位置情報とともにインターネットサーバへ送信する。接続情報送信部は、携帯端末から送信されてきた現在位置情報に対応する接続情報であって、かつ、当該現在位置情報とともに送信されてきたキーワードに対応する接続情報を、サーバリストを参照することによってサーバリスト格納部から取得し、当該携帯端末へ送信する。
【００１５】
上記によっても、ユーザが希望する情報に関連するキーワードを入力することによって、ユーザが希望する情報を提供する情報提供サーバの無線ネットワークに携帯端末が接続される。そして、ユーザが希望する情報についての提供情報が自動的に当該情報提供サーバから送信されることとなる。
【００１６】
第２の発明に係る通信システムは、放送局と、携帯端末と、１以上の情報提供サーバとを含む。放送局は、情報提供サーバの位置に関するサーバ位置情報と、当該情報提供サーバが接続される無線ネットワークに接続するための接続情報との対応を示すサーバリストを、放送すべき放送データに含めて送信する。携帯端末は、当該放送局から送信される放送データを受信可能であり、現在位置取得部と、放送受信部と、接続情報決定部と、接続処理部とを備える。現在位置取得部は、自機の現在位置を示す現在位置情報を取得する。放送受信部は、放送局から送信される放送データを受信する。接続情報決定部は、現在位置取得部によって取得された現在位置情報に基づいて、放送受信部によって受信した放送データに含まれるサーバリストの中から、当該現在位置情報に対応する接続情報を決定する。接続処理部は、接続情報決定部によって決定された接続情報を用いて、当該接続情報によって接続可能な無線ネットワークとの接続を確立する。ここで、情報提供サーバは、異なる無線ネットワークにそれぞれ接続されている。
【００１７】
上記によれば、携帯端末は、自機の周辺に存在する情報提供サーバの無線ネットワークに接続するための接続情報を放送データを受信することによって得ることができる。従って、第１の発明と同様、ユーザは、煩雑な設定作業を行うことなしに容易に情報提供サーバと通信を行うことができる。また、現在位置周辺に存在する情報提供サーバを検出することができる。
【００１８】
また、第２の発明おいて、サーバリストは、情報提供サーバが接続される無線ネットワークに接続するための接続情報と、当該情報提供サーバに関連するキーワードとの対応をさらに含んでいてもよい。このとき、各携帯端末は、キーワードの入力を受け付けるキーワード受付部をさらに備える。接続情報決定部は、現在位置情報に対応する接続情報であって、かつ、キーワード受付部によって受け付けられたキーワードに対応する接続情報を、サーバリストの中から決定する。
【００１９】
上記によれば、ユーザが希望する情報に関連するキーワードを入力することによって、ユーザが希望する情報を提供する情報提供サーバの無線ネットワークに携帯端末が接続される。そして、ユーザが希望する情報についての提供情報が自動的に当該情報提供サーバから送信されることとなる。
【００２０】
【発明の実施の形態】
（第１の実施形態）
まず、本発明に係る第１の実施形態について説明する。図１は、第１の実施形態に係る通信システムの全体構成を示す図である。図１において、通信システムは、携帯端末１と、インターネットサーバ２と、情報提供サーバ３との３つの装置を含む構成である。携帯端末１は、インターネットサーバ２とインターネット４を介して通信可能である。また、情報提供サーバ３は、無線ＬＡＮ５に接続されている。なお、以降の説明を容易にするため、図１では１つのみの携帯端末を示すが、通信システムは、複数の携帯端末を含む構成であるとする。また、これと同様の理由で、図１ではそれぞれ１つのみの情報提供サーバ３および無線ＬＡＮ５を示すが、通信システムは、無線ＬＡＮ５とそれに接続される情報提供サーバとの組を複数組含む構成であるとする。なお、インターネットサーバ２と情報提供サーバ３との間は、インターネット４を介して通信可能に接続されている。
【００２１】
携帯端末１は、ユーザに所持され、インターネット４に接続する機能を有する携帯電話である。インターネットサーバ２は、インターネット４上のサーバである。情報提供サーバ３は、商店街や商業ビル等の施設に設置されたサーバであり、当該施設に設置された無線ＬＡＮ５に接続されている。以下、第１の実施形態の説明では、ユーザが外出先で携帯端末１を用いて、自分の現在位置付近に存在する商店街や商業ビル等の施設が提供する情報（例えば、店の情報や商品の情報、ＣＭ等。以下、提供情報と呼ぶ。）を得るための動作を説明する。ここで、施設の提供情報は、情報提供サーバ３によって携帯端末１へ提供される。携帯端末１は、提供情報を受信するために無線ＬＡＮ５に接続し、通信を確立しなければならない。そのために、携帯端末１は、無線ＬＡＮ５に接続するために必要となる接続情報をインターネットサーバ２から取得する。そして、当該接続情報を用いて無線ＬＡＮ５との通信を確立することによって、情報提供サーバ３から提供情報を受信するのである。
【００２２】
図２は、図１に示す通信システム全体の動作の概要を示すシーケンスチャートである。以下、通信システムの動作の概要を説明する。まず、携帯端末１は、ユーザの現在位置、すなわち、自機の現在位置を示す現在位置情報をインターネット４経由でインターネットサーバ２へ送信する（ステップＳ１）。このとき、現在位置情報とともに、携帯端末１を他の携帯端末と識別するための端末識別情報が送信される。
【００２３】
インターネットサーバ２は、現在位置情報を受信すると、携帯端末１の現在位置から接続可能な無線ＬＡＮ（ここでは、無線ＬＡＮ５とする）を特定し、当該無線ＬＡＮ５の接続情報をインターネット４経由で携帯端末１へ送信する（ステップＳ２）。さらに、携帯端末１から受信した端末識別情報を、インターネット４経由で情報提供サーバ３へ送信する（ステップＳ３）。
【００２４】
一方、インターネットサーバ２から接続情報を受信した携帯端末１は、当該接続情報を用いて無線ＬＡＮ５に接続するための接続処理を行う。すなわち、携帯端末１から無線ＬＡＮ５に対して接続要求が送信される（ステップＳ４）。ステップＳ４において携帯端末１と無線ＬＡＮ５との接続が確立することによって、携帯端末１と情報提供サーバ３との間で通信が可能となる。情報提供サーバ３は、ステップＳ３において受信した端末識別情報に基づいて、当該端末識別情報によって特定される携帯端末１へ、提供すべき提供情報を送信する（ステップＳ５）。以上の処理によって、ユーザは、携帯端末１を用いて自機の現在位置情報をインターネットサーバ２へ送信することによって、自分の付近に存在する各種施設の提供情報を得ることができる。
【００２５】
次に、図１に示す各装置の詳細な構成を説明する。図３は、図１に示す携帯端末１の構成を示すブロック図である。図３において、携帯端末１は、インターネット通信部１１と、現在位置取得部１２と、端末処理部１３と、無線ＬＡＮ接続部１４と、入力部１５と、出力部１６とを備えている。
【００２６】
インターネット通信部１１は、端末処理部１３から受け取った各種情報をインターネット４へ送信し、インターネット４から携帯端末１に対して送信されてきた各種情報を受信し、端末処理部１３へ渡す。現在位置取得部１２は、携帯端末１の現在位置を取得し、当該現在位置を示す現在位置情報を生成する。携帯端末１の現在位置は、典型的にはＧＰＳや、ＰＨＳにおける現在位置情報を提供するサービス等を利用するによって取得することが可能である。生成された現在位置情報は、端末処理部１３へ渡される。端末処理部１３は、携帯端末１のＣＰＵやメモリ等によって構成され、携帯端末１における各種の処理を行う。処理の詳細は、後述する図９において説明する。無線ＬＡＮ接続部１４は、端末処理部１３から受け取った各種情報を無線ＬＡＮ５のアクセスポイント（ＡＰ）へ送信し、無線ＬＡＮ５のＡＰから携帯端末１に対して送信されてきた各種情報を受信し、端末処理部１３へ渡す。例えば、無線ＬＡＮ接続部１４は、携帯端末１と無線ＬＡＮ５とを通信可能に接続するための要求を送信する。入力部１５は、ボタン、タッチパネル等の入力装置によって構成され、ユーザによる入力を受け付ける。例えば、ユーザによるキーワードの入力を受け付ける。出力部１６は、例えば液晶表示装置等の表示装置と、スピーカといった音声出力装置とによって構成され、携帯端末１内で処理された各種の画像データや音声データを出力する。例えば、情報提供サーバ３から携帯端末１に送信されてきた提供情報を表示および／または音声出力する。
【００２７】
図４は、図１に示すインターネットサーバ２の構成を示すブロック図である。図４において、インターネットサーバ２は、サーバリスト格納部２１と、リスト処理部２２と、インターネット通信部２３とを備えている。
【００２８】
サーバリスト格納部２１は、接続情報を携帯端末１に送信する際に用いられるサーバリストを格納している。図５は、図４に示すサーバリスト格納部２１に格納されているサーバリストの例を示す図である。図５に示すように、サーバリストには、情報提供サーバの名称を示すサーバ名情報と、情報提供サーバの地理上の位置を示すサーバ位置情報と、情報提供サーバが接続されている無線ＬＡＮ５に接続するための接続情報と、情報提供サーバに関連するキーワードとが対応付けて格納されている。サーバリストには、情報提供サーバ毎に異なる内容の接続情報が格納される。また、例えば、“サーバＡ”という名称の情報提供サーバが、電器製品の商店街に設置されているサーバであれば、“パソコン”や“テレビ”といったキーワードが対応付けられる。また、“サーバＢ”という名称の情報提供サーバが、レストラン街に設置されているサーバであれば、“食事”や“ランチ”といったキーワードが対応付けられる。
【００２９】
図６は、本実施形態における接続情報の例を示す図である。ここでは、携帯端末１が無線ＬＡＮ５に接続されるためには、接続情報として次の４つの項目を設定しなければならないものとする。すなわち、接続情報には、チャンネル数と、ＳＳＩＤ（Ｓｅｒｖｉｃｅ  Ｓｅｔ  ＩＤ）と、モードと、暗号化設定とが含まれている。チャンネル数は、ＡＰと携帯端末１との間で無線通信を行う際の周波数チャンネルである。ＳＳＩＤとは、上記ＡＰを識別するための文字列である。モードとは、無線ＬＡＮ５に接続される各端末（携帯端末１および情報提供サーバ３）間の通信方式を示す。具体的には、モードにはインフラストラクチャおよびアドホックがあり、インフラストラクチャは各端末がＡＰを介して通信を行う方式であり、アドホックは各端末が直接通信を行う方式である。暗号化設定とは、一般的な無線ＬＡＮ通信で採用されているＷＥＰ（Ｗｉｒｅｄ  Ｅｑｕｉｖａｌｅｎｔ  Ｐｒｉｖａｃｙ）という暗号方式における暗号化／複合化のために用いられる文字列である。
【００３０】
図４の説明に戻り、リスト処理部２２は、インターネットサーバ２のＣＰＵやメモリ等によって構成され、上記サーバリストを用いてインターネットサーバ２における各種の処理を行う。処理の詳細は、後述する図１０において説明する。インターネット通信部２３は、リスト処理部２２から受け取った各種情報をインターネット４へ送信し、インターネット４からインターネットサーバ２に対して送信されてきた各種情報を受信し、リスト処理部２２へ渡す。
【００３１】
図７は、図１に示す情報提供サーバ３の構成を示すブロック図である。図７において、情報提供サーバ３は、インターネット通信部３１と、提供情報処理部３２と、情報提供リスト格納部３３と、無線ＬＡＮ接続部３４とを備えている。
【００３２】
インターネット通信部３１は、提供情報処理部３２から受け取った各種情報をインターネット４へ送信し、インターネット４から情報提供サーバ３に対して送信されてきた各種情報を受信し、提供情報処理部３２へ渡す。提供情報処理部３２は、情報提供サーバ３のＣＰＵやメモリ等によって構成され、後述する提供情報リストを用いて情報提供サーバ３における各種の処理を行う。処理の詳細は、後述する図１１において説明する。提供情報リスト格納部３３は、携帯端末１へ提供情報を送信する際に用いられる提供情報リストを格納している。以下、提供情報リストの詳細を説明する。
【００３３】
図８は、図７に示す提供情報リスト格納部３３に格納されている提供情報リストの例を示す図である。図８に示すように、提供情報リストには、情報提供サーバ３に関連するキーワードと、当該キーワードに関連する提供情報とが対応付けて格納されている。情報提供サーバ３の提供情報リストには、サーバリストにおいて情報提供サーバ３に対応付けられている各キーワードが含まれている。また、提供情報としては、例えば、キーワードの商品を取り扱っている店の店名や、当該店の地図データ、当該店のＣＭ、キーワードの商品に関する商品情報（価格や性能等）等が考えられる。
【００３４】
図７の説明に戻り、無線ＬＡＮ接続部３４は、提供情報処理部３２から受け取った各種情報を無線ＬＡＮ５のアクセスポイント（ＡＰ）へ送信し、無線ＬＡＮ５のＡＰから提供情報サーバ３に対して送信されてきた各種情報を受信し、提供情報処理部３２へ渡す。
【００３５】
以下、第１の実施形態に係る通信システムの各装置の動作を説明する。図９は、図１に示す携帯端末１の動作を示すフローチャートであり、図１０は、図１に示すインターネットサーバ２の動作を示すフローチャートであり、図１１は、図１に示す情報提供サーバ３の動作を示すフローチャートである。
【００３６】
まず、図２のステップＳ１に示す、携帯端末１における現在位置情報等の送信処理について説明する。図９において、携帯端末１の端末処理部１３は、現在位置情報を取得する（ステップＳ１１）。この処理は、入力部１５に入力されるユーザからの指示に応じて行われる。すなわち、ユーザは、移動中において周辺の施設に関する情報の提供を受けようとする場合、まず、入力部１５を用いて現在位置情報の取得を指示する。入力部１５を介してこの指示を受け取った端末処理部１３は、現在位置取得部１２に現在位置情報の取得を指示する。これによって、現在位置取得部１２は現在位置情報を取得し、取得した現在位置情報を端末処理部１３へ渡す。なお、ここでは、現在位置情報は、（ｘ，ｙ）のような２次元の座標で表現されるものする。
【００３７】
ステップＳ１１の次に、端末処理部１３は、ユーザによって入力されるキーワードを受け付ける（ステップＳ１２）。すなわち、現在位置情報の取得の指示を行ったユーザは、続けて、入力部１５を用いてキーワードを入力する。キーワードは、ユーザが提供を受けたい情報の種類に適したものが入力される。例えば、パソコンの買い物中のユーザであれば、“パソコン”というキーワードを入力する。なお、ステップＳ１２において、キーワードは、ユーザによって必ずしも入力されなくともよい。つまり、ユーザは、キーワードを入力せずにステップＳ１２の入力操作を終了してもよい。その場合、キーワードはインターネットサーバ２へ送信されない。
【００３８】
ステップＳ１２の次に、端末処理部１３は、ステップＳ１１で取得した現在位置情報と、ステップＳ１２で受け付けたキーワード（キーワードは送信されない場合もある）と、上述の端末識別情報とをインターネットサーバ２へ送信する（ステップＳ１３）。具体的には、端末処理部１３は、これらの情報をインターネット通信部１１へ渡し、インターネットを介してインターネットサーバ２へ送信させる。以上のステップＳ１１〜Ｓ１３によって、図２に示すＳ１の処理が完了する。
【００３９】
次に、図２のステップＳ２に示す、インターネットサーバ２における接続情報等の送信処理について説明する。図１０において、インターネットサーバ２のリスト処理部２２は、携帯端末１から送信されてきた現在位置情報、キーワード、および端末識別情報を受信する（ステップＳ２１）。具体的には、これらの情報はインターネット通信部２３によって受信され、リスト処理部２２に渡される。なお、上述のステップＳ１２においてキーワードが入力されなかった場合、ステップＳ２１においてキーワードは受信されない。
【００４０】
ステップＳ２１の次に、リスト処理部２２は、サーバリスト格納部２１に格納されているサーバリストに対して位置情報で検索を行う（ステップＳ２２）。具体的には、リスト処理部２２は、サーバリストにおいて対応付けられるサーバ位置および接続情報等からなる各組の中から、携帯端末１の現在位置付近に存在する情報提供サーバ３を示す組を抽出する。より具体的には、ステップＳ２１において受信された現在位置情報により示される位置と、サーバリストに含まれている各サーバ位置情報により示される各位置との距離がそれぞれ算出される。そして、当該距離が所定量以下であるサーバ位置情報を含む組が、携帯端末１の現在位置付近に存在する情報提供サーバ３を示す組と判定され、抽出される。なお、携帯端末１の現在位置付近に存在する情報提供サーバ３を示す組と判定される組が複数ある場合、複数の組が抽出される。以上のようにして抽出された組は、リスト処理部２２のメモリに記憶される。
【００４１】
なお、上記の所定量は、情報提供サーバが接続されている無線ＬＡＮのＡＰが通信可能な範囲を示す程度の距離に設定されることが好ましい。これによって、携帯端末１が通信可能な距離に存在する無線ＬＡＮの接続情報のみが携帯端末１へ送信されることとなる。
【００４２】
また、本実施形態においては、サーバ位置情報は、情報提供サーバの位置を示す情報であるとした。他の実施形態においては、サーバ位置情報は、情報提供サーバ３の位置に関する情報であればよく、情報提供サーバの位置を示す情報に限られない。例えば、情報提供サーバが接続されている無線ＬＡＮのＡＰが通信可能な範囲を示す情報であってもいよい。このとき、ステップＳ２２においては、現在位置情報により示される位置がサーバ位置情報の示す範囲の中に含まれるような組が抽出されることとなる。これによって、携帯端末１が通信可能な距離に存在する無線ＬＡＮの接続情報を、より正確に判定することができる。
【００４３】
ステップＳ２２の次に、リスト処理部２２は、ステップＳ２１においてキーワードを受信したか否かを判定する（ステップＳ２３）。キーワードを受信していない場合、ステップＳ２４の処理がスキップされ、ステップＳ２５の処理が行われる。一方、キーワードを受信している場合、ステップＳ２４の処理が行われる。すなわち、リスト処理部２２は、ステップＳ２２において抽出した組に対して、キーワードでさらに検索を行う（ステップＳ２３）。具体的には、リスト処理部２２は、ステップＳ２２においてメモリに記憶した組の中から、ステップＳ２１において受信したキーワードと一致するキーワードを含む組を抽出する。抽出された組は、リスト処理部２２のメモリに記憶され、その他の組はメモリから消去される。
【００４４】
次に、リスト処理部２２は、携帯端末１へ接続情報を送信する（ステップＳ２５）。具体的には、リスト処理部２２は、送信すべき接続情報をインターネット通信部２３へ渡し、インターネットを介して携帯端末１へ送信させる。ここで、送信すべき接続情報は、リスト処理部２２のメモリに記憶されている組に含まれている接続情報である。以上によって、携帯端末１から送信されてきた現在位置情報に対応する接続情報が携帯端末１へ送信されることとなる。また、現在位置情報とともにキーワードが送信されてくる場合には、現在位置情報に対応する接続情報であって、かつ、キーワードに対応する接続情報が携帯端末１へ送信されることとなる。
【００４５】
以上のように、ステップＳ２１〜Ｓ２５の処理は、現在位置情報が携帯端末１から送信されてきたことに応じて、当該現在位置情報に対応する接続情報であって、かつ、当該携帯端末から送信されてきたキーワードに対応する接続情報を、サーバリストを参照することによってサーバリスト格納部２１から取得するとともに、携帯端末１へ送信する処理である。以上のステップＳ２１〜Ｓ２５によって、図２に示すＳ２の処理が完了する。以上によって、インターネットを介した携帯端末１とインターネットサーバ２との通信を終了する。
【００４６】
さらに、ステップＳ２５の次に、リスト処理部２２は、ステップＳ２１において受信された端末識別情報およびキーワードを情報提供サーバへ送信する（ステップＳ２６）。具体的には、リスト処理部２２は、送信すべき端末識別情報およびキーワードをインターネット通信部２３へ渡し、インターネットを介して情報提供サーバへ送信させる。ここで、送信先の情報提供サーバは、リスト処理部２２のメモリに記憶されている組によって特定される情報提供サーバである。ここでは、図１に示す情報提供サーバ３の組がメモリに記憶されたものとする。すなわち、携帯端末１へ送信された接続情報に対応する情報提供サーバ３へ、当該携帯端末１の端末識別情報およびキーワードが送信される。以上のように、ステップＳ２６の処理は、接続情報が携帯端末１へ送信される場合、当該接続情報を用いることによって接続可能な無線ＬＡＮに接続される情報提供サーバへ、インターネットを介して携帯端末１の端末識別情報およびキーワードを送信する処理である。これによって、情報提供サーバ３は、無線ＬＡＮ５に接続される携帯端末１を予め知ることができる。なお、ステップＳ２１にてキーワードが受信されていない場合、ステップＳ２６においてキーワードは送信されない。以上のステップＳ２６によって、図２に示すステップＳ３の処理が完了する。ステップＳ２６の後、リスト処理部２２は、図１０に示す処理を終了する。
【００４７】
次に、図２のステップＳ４に示す、携帯端末１における接続要求の送信処理について説明する。図９において、上述したステップＳ１３において現在位置情報等がインターネットサーバ２へ送信されると、それに応じてインターネットサーバ２から接続情報が携帯端末１へ送信されてくる（図１０のステップＳ２１〜Ｓ２５）。そこで、ステップＳ１３の次に、端末処理部１３は、インターネットサーバ２から送信されてくる接続情報を受信する（ステップＳ１４）。具体的には、接続情報はインターネット通信部１１によって受信され、端末処理部１３に渡される。
【００４８】
ステップＳ１４の次に、リスト処理部２２は、ステップＳ１４において受信した接続情報を用いて、当該接続情報によって接続可能な無線ＬＡＮ５との接続を確立する（ステップＳ１５）。具体的には、リスト処理部２２は、ステップＳ１４において受信した接続情報によって接続可能な無線ＬＡＮ５のＡＰに対して接続要求を行う。これによって、携帯端末１が無線ＬＡＮに接続される。以上のステップＳ１４およびＳ１５によって、図２に示すステップＳ４の処理が完了する。
【００４９】
次に、図２のステップＳ５に示す、情報提供サーバ３における提供情報の送信処理について説明する。図１１において、情報提供サーバ３の提供情報処理部３２は、まず、ステップＳ２６においてインターネットサーバ２から送信されてくる端末識別情報およびキーワードを受信する（ステップＳ３１）。具体的には、これらの情報はインターネット通信部３１によって受信され、提供情報処理部３２に渡される。なお、上述したように、インターネットサーバ２からキーワードが送信されてこない場合もある。この場合、情報提供サーバ３においては、端末識別情報のみが受信される。
【００５０】
ステップＳ３１の次に、提供情報処理部３２は、ステップＳ３１においてキーワードを受信したか否かを判定する（ステップＳ３２）。キーワードを受信していない場合、ステップＳ３３の処理がスキップされ、ステップＳ３４の処理が行われる。一方、キーワードを受信している場合、ステップＳ３３の処理が行われる。すなわち、提供情報処理部３２は、提供情報リスト格納部３３に格納されている提供情報リストに対してキーワードで検索を行う（ステップＳ３３）。具体的には、提供情報処理部３２は、提供情報リストにおいて対応付けられているキーワードおよび提供情報の組の中から、ステップＳ３１において受信したキーワードに一致するキーワードを含む組を抽出する。抽出された組は、提供情報処理部３２のメモリに記憶される。これによって、キーワードに一致した組の提供情報、すなわち、ユーザが提供を希望する提供情報のみを携帯端末１へ送信することができる。
【００５１】
次に、提供情報処理部３２は、インターネットサーバ２から送信されてくる端末識別情報により示される携帯端末、すなわち、携帯端末１に対して無線ＬＡＮ５を介して提供情報を送信する（ステップＳ３４）。ステップＳ３１においてキーワードが受信された場合、ステップＳ３４で送信される提供情報は、Ｓ３３においてメモリに記憶された提供情報である。一方、ステップＳ３１においてキーワードが受信されていない場合、ステップＳ３４で送信される提供情報は、予め定められた所定の提供情報が送信される。所定の提供情報は、情報提供サーバ３が設置される施設の総合的な情報であってもよいし、各キーワードに対応する提供情報の一部が選択された情報であってもよい。以上のステップＳ３１〜Ｓ３４によって、図２に示すＳ５の処理が完了する。また、ステップＳ３４の後、提供情報処理部３２は、図１１に示す処理を終了する。
【００５２】
再び図９の説明に戻り、上述したステップＳ１５において、無線ＬＡＮ５との通信が確立された後、情報提供サーバ３から提供情報が携帯端末１へ送信されてくる（図１１のステップＳ３１〜Ｓ３４）。そこで、ステップＳ１５の次に、端末処理部１３は、情報提供サーバ３から無線ＬＡＮ５を介して送信されてくる提供情報を受信する（ステップＳ１６）。具体的には、接続情報はインターネット通信部１１によって受信され、端末処理部１３に渡される。さらに、受信された提供情報は、出力部１６に出力される（ステップＳ１７）。すなわち、端末処理部１３は、ステップＳ１６において受信した提供情報を、出力部１６に出力させる。これによって、出力部１６の表示装置には、商品に関する情報や、店舗のＣＭ等が表示されることとなる。なお、提供情報は、商品に関する情報が記述された文書データ、商品の画像データ、ＣＭの映像データ等、どのようなものであってもよい。ステップＳ１７の後、端末処理部１３は、図９に示す処理を終了する。
【００５３】
以上のように、第１の実施形態によれば、携帯端末１は、現在位置において接続可能な無線ＬＡＮ５の接続情報をインターネットサーバ２から取得することによって、容易に無線ＬＡＮ５との通信接続を行うことができる。さらに、情報提供サーバ３から無線ＬＡＮ５を介して提供情報を取得することができる。なお、携帯端末１と情報提供サーバ３との通信は、インターネットを介して行うことも考えられるが、無線ＬＡＮ５を介して通信を行うことによって、インターネットを介して通信を行うよりも安価に（インターネットを介して通信を行うと、インターネットプロバイダに対する接続料金が必要となる。）、かつ高速に通信を行うことができる。
【００５４】
なお、第１の実施形態においては、情報提供サーバ３において端末識別情報を用いることよって、提供情報を送信すべき携帯端末を特定した。ここで、他の実施形態においては、携帯端末１と無線ＬＡＮ５との接続処理が完了した（図９に示すステップＳ１５）後、携帯端末１が情報提供サーバ３に対して提供情報の送信を要求するようにしてもよい。この場合、インターネットサーバ２は、情報提供サーバ３へ端末識別情報を送信する必要がない。従って、この場合、情報提供サーバ３は必ずしもインターネットに接続されている必要はない。
【００５５】
（第２の実施形態）
次に、本発明に係る第２の実施形態について説明する。図１２は、第２の実施形態に係る通信システムの全体構成を示す図である。なお、以下の第２の実施形態の説明において、第１の実施形態と同様の構成については、同じ参照符号を付し、詳細な説明を省略することがある。図１２において、通信システムは、携帯端末６と、放送局７と、情報提供サーバ３との３つの装置を含む構成である。携帯端末６は、放送局７から送信される放送データを受信することが可能である。また、情報提供サーバ３は、無線ＬＡＮ５に接続されている。なお、以降の説明を容易にするため、図１２では１つのみの携帯端末を示すが、通信システムは、複数の携帯端末を含む構成であるとする。また、これと同様の理由で、図１２ではそれぞれ１つのみの情報提供サーバ３および無線ＬＡＮ５を示すが、通信システムは、無線ＬＡＮとそれに接続される情報提供サーバとの組を複数組含む構成であるとする。
【００５６】
携帯端末６は、例えば、ユーザによって携帯され、放送局７からの放送データを受信することが可能な携帯電話である。放送局７は、典型的には、携帯端末向けのテレビ放送である１セグメント放送を行う放送局である。以下、第２の実施形態の説明では、第１の実施形態と同様の動作を説明する。すなわち、ユーザが外出先で携帯端末６を用いて、自分の現在位置付近に存在する商店街や商業ビル等の施設が提供する情報を得るための動作を説明する。ここで、第２の実施形態においては、携帯端末６は、無線ＬＡＮ５に接続するために必要となる接続情報を放送局７から取得する。そして、当該接続情報を用いて無線ＬＡＮとの通信を確立することによって、情報提供サーバ３から提供情報を受信する。
【００５７】
図１３は、図１２に示す通信システム全体の動作の概要を示すシーケンスチャートである。以下、第２の実施形態に係る通信システムの動作の概要を説明する。まず、放送局７から各携帯端末に向けて放送データが送信される（ステップＳ７）。ここで、放送データには、上述したサーバリスト（図５参照）が含まれている。この放送データを受信した携帯端末６は、現在位置情報やキーワードを取得し、これらの情報に基づいて接続可能な無線ＬＡＮ（ここでは、無線ＬＡＮ５とする）の接続情報を決定する。そして、決定した接続情報を用いて無線ＬＡＮ５に接続するための接続処理を行う。すなわち、携帯端末６から無線ＬＡＮ５に対して接続要求が送信される（ステップＳ８）。ステップＳ８によって、携帯端末６と無線ＬＡＮ５との接続が確立することによって、携帯端末６と情報提供サーバ３との間で通信が可能となる。情報提供サーバ３は、接続要求を行った携帯端末６へ、提供すべき提供情報を送信する（ステップＳ９）。以上の処理によって、ユーザは、放送局７から放送データを受信することによって、自分の付近に存在する各種施設の提供情報を得ることができる。
【００５８】
図１４は、図１２に示す携帯端末６の構成を示すブロック図である。図１４において、携帯端末６は、現在位置取得部１２と、端末処理部１３と、無線ＬＡＮ接続部１４と、入力部１５と、出力部１６と、放送受信部１７とを備えている。放送受信部１７は、放送局７から送信されてくる放送データを受信する。受信された放送データは、端末処理部１３に渡される。図１４において、放送受信部１７以外の各部は、第１の実施形態と同様であるので説明を省略する。ただし、端末処理部１３の動作は第１の実施形態と異なるので、以下に詳細を説明する。
【００５９】
図１５は、図１４に示す端末処理部１３の動作を示すフローチャートである。まず、端末処理部１３は、放送局７によって放送される放送データを受信する（ステップＳ５１）。具体的には、放送データは放送受信部１７によって受信され、端末処理部１３に渡される。上述したように、放送データにはサーバリストが含まれているが、当該サーバリストには、放送局７の放送エリア内に存在する情報提供サーバおよび無線ＬＡＮに関するサーバ位置情報や接続情報が格納される。また、サーバリストの内容は、放送データの内容（番組）に応じて異なるものが含まれていてもよい。例えば、サーバリストには、番組のスポンサーである商業施設の情報提供サーバに関する各種情報（サーバ位置情報、接続情報、キーワード等）が含まれていてもよい。
【００６０】
ステップＳ５１の次に、ステップＳ５２およびステップＳ５３の処理が行われる。ステップＳ５２の処理は図９のステップＳ１１と同様であり、ステップＳ５３の処理は図９のステップＳ１２と同様であるので、説明を省略する。ステップＳ５３の後、端末処理部１３は、ステップＳ５１において受信した放送データに含まれるサーバリストの中から、接続すべき無線ＬＡＮに接続するための接続情報を決定する（ステップＳ５４）。ステップＳ５４において、接続情報は、ステップＳ５２で取得された現在位置情報に基づいて、サーバリストの中から当該現在位置情報に対応する接続情報であって、かつ、ステップＳ５３において受け付けられたキーワードに対応する接続情報に決定される。
【００６１】
具体的には、ステップＳ５４の処理は以下のように行われる。すなわち、まず、現在位置情報により示される位置から所定の範囲内に存在する情報提供サーバが抽出される。より具体的には、現在位置情報により示される位置と、サーバリストに含まれている各サーバ位置情報により示される各位置との距離がそれぞれ算出される。そして、当該距離が所定量以下であるサーバ位置情報に対応する情報提供サーバが、携帯端末６の現在位置付近に存在する情報提供サーバと判定され、抽出される。さらに、抽出された情報提供サーバについて、キーワードが一致するか否かが判定される。具体的には、抽出された情報提供サーバについて、サーバリストに含まれているキーワードが、ステップＳ５３において受け付けられたキーワードと一致するか否かが判定される。この判定においてキーワードが一致すると判定された情報提供サーバの接続情報が、ステップＳ５４において決定される接続情報となる。ここでは、ステップＳ５４において決定された接続情報は、無線ＬＡＮ５の接続情報とする。
【００６２】
以上のように、第２の実施形態においては、放送データによってサーバリストが取得される形態であるので、携帯端末６は、自機が通信可能な無線ＬＡＮの接続情報を決定しなければならない。なお、この決定は、少なくとも現在位置情報に基づいて行われればよく、必ずしもキーワードに基づいて行われる必要はない。つまり、図１４のステップＳ５３の処理を省略してもよい。
【００６３】
ステップＳ５４の次に、端末処理部１３は、ステップＳ５４において決定した接続情報を用いて、当該接続情報によって接続可能な無線ＬＡＮ５との接続を確立する（ステップＳ５５）。ステップＳ５５の処理は、ステップＳ１５と同様である。ステップＳ５５の処理によって携帯端末６と無線ＬＡＮ５との通信が確立した後、端末処理部１３は、情報提供サーバ３に対して提供情報の送信を要求する（ステップＳ５６）。具体的には、端末処理部１３は、無線ＬＡＮ接続部１４に、提供情報の送信要求を示す情報を無線ＬＡＮ５のＡＰへ送信させる。なお、当該送信要求とともに、ステップＳ５３において受け取られたキーワードが送信されてもよい。
【００６４】
以上のように、第２の実施形態においては、放送データによってサーバリストが取得される形態であるので、情報提供サーバ３は、無線ＬＡＮ５に接続される携帯端末６の端末識別情報を予め取得することができない。従って、携帯端末６の方から情報提供サーバ３に対して提供情報の所得を要求する必要がある。
【００６５】
送信要求を受け取った情報提供サーバ３は、これに応じて提供情報を携帯端末６へ送信する。ステップＳ５６において送信要求とともにキーワードが送信された場合、提供情報リスト格納部３３に格納されている提供情報リストにおいて当該キーワードに対応する提供情報が送信される。一方、ステップＳ５６においてキーワードが送信されていない場合、予め定められた所定の提供情報が送信される。以上のように情報提供サーバ３から送信される提供情報は、携帯端末６において受信される（ステップＳ５７）。ステップＳ５７の処理は、図９に示すステップＳ１６と同様である。また、続くステップＳ５８の処理は、図９に示すステップＳ１７と同様である。
【００６６】
上記第２の実施形態によっても、携帯端末６は、自機の周辺に存在する無線ＬＡＮの接続情報を取得することができる。これによって、携帯端末６は、容易に無線ＬＡＮ５との通信接続を行うことができる。さらに、情報提供サーバ３から無線ＬＡＮ５を介して提供情報を取得することができる。
【００６７】
なお、以上の第１および第２の実施形態においては、情報提供サーバ３および無線ＬＡＮ５の設置場所として、商店街や商業施設を例として説明したが、これらの設置場所は、どのような施設であってもよい。本発明に係る通信システムの情報提供サーバおよび無線ＬＡＮは、例えば、図書館や映画館等に設置されるものであってもよい。
【００６８】
また、以上の第１および第２の実施形態の説明においては、携帯端末が提供情報を受信し、それを出力（表示）する処理までを主に説明した。ここで、提供情報を受信した携帯端末は、さらに、情報提供サーバとの間で通信を行うようにしてもよい。例えば、商品の購入や、値引き交渉、商品のより詳細な情報の要求を、無線ＬＡＮを介した通信によって行ってもよい。
【図面の簡単な説明】
【図１】第１の実施形態に係る通信システムの全体構成を示す図である。
【図２】図１に示す通信システム全体の動作の概要を示すシーケンスチャートである。
【図３】図１に示す携帯端末１の構成を示すブロック図である。
【図４】図１に示すインターネットサーバ２の構成を示すブロック図である。
【図５】図４に示すサーバリスト格納部２１に格納されているサーバリストの例を示す図である。
【図６】本実施形態における接続情報の例を示す図である。
【図７】図１に示す情報提供サーバ３の構成を示すブロック図である。
【図８】図７に示す提供情報リスト格納部３３に格納されている提供情報リストの例を示す図である。
【図９】図１に示す携帯端末１の動作を示すフローチャートである。
【図１０】図１に示すインターネットサーバ２の動作を示すフローチャートである。
【図１１】図１に示す情報提供サーバ３の動作を示すフローチャートである。
【図１２】第２の実施形態に係る通信システムの全体構成を示す図である。
【図１３】図１２に示す通信システム全体の動作の概要を示すシーケンスチャートである。
【図１４】図１２に示す携帯端末６の構成を示すブロック図である。
【図１５】図１４に示す端末処理部１３の動作を示すフローチャートである。
【符号の説明】
１，６  携帯端末
２  インターネットサーバ
３  情報提供サーバ
４  インターネット
５  無線ＬＡＮ
７  放送局
【図１】
2004310222.tif 000003
【図２】
2004310222.tif 000004
【図３】
2004310222.tif 000005
【図４】
2004310222.tif 000006
【図５】
2004310222.tif 000007
【図６】
2004310222.tif 000008
【図７】
2004310222.tif 000009
【図８】
2004310222.tif 000010
【図９】
2004310222.tif 000011
【図１０】
2004310222.tif 000012
【図１１】
2004310222.tif 000013
【図１２】
2004310222.tif 000014
【図１３】
2004310222.tif 000015
【図１４】
2004310222.tif 000016
【図１５】
2004310222.tif 000017